(57)【要約】 【課題】筒内部にシャフトを挿入し、外周面に長尺の被巻回物を巻回するようにした紙管製巻芯において、紙管の筒内部へのシャフトの挿入を円滑に行うことができるようにし、紙粉の発生を減少させる。【解決手段】紙管製巻芯の端面２と内周面３との境界部分を刃物によって切削することにより、この境界部分を傾斜面４にする。傾斜面４は、半径方向の長さが０．５〜２．０mmであり、傾斜角度が３０〜６０度とすることにより、シャフトを円滑に挿入でき、紙粉の発生も防止し得る。【選択図】          図１
0003109473.tif 000002
【実用新案登録請求の範囲】
【請求項１】
筒内部にシャフトを挿入し、外周面に長尺の被巻回物を巻回するようにした紙管製巻芯において、
紙管の端面と紙管の内周面との境界部分を刃物によって切削することにより、この境界部分を傾斜面にしたことを特徴とする紙管製巻芯。
【請求項２】
上記の傾斜面は、半径方向の長さが０．５〜２．０mmであり、傾斜角度が３０〜６０度であることを特徴とする請求項１記載の紙管製巻芯。
【請求項３】
上記の傾斜面の半径方向の長さが０．８〜２．０mmであり、上記の紙管を構成する紙製シート状体のうち、最内層とその外側の層との接着面が上記の傾斜面内に位置するものであることを特徴とする請求項２記載の紙管製巻芯。
【考案の詳細な説明】
【技術分野】
【０００１】
本願考案は、紙管製巻芯、より詳しくは筒内部にシャフトを挿入し、外周面に長尺の被巻回物を巻回するようにした紙管製巻芯に関するもである。
【背景技術】
【０００２】
従来より、長尺のフィルムやシートを巻回するために紙管製巻芯が多用されている。この種の紙管製巻芯は、特許文献１に示すようなシート状体を多数枚積層巻回したものである。この紙管製巻芯は、使用に際して、その筒内部に特許文献２に示すようなシャフトを挿入して、その外周に長尺のシート状体やフィルム状体を巻回するものである。
【０００３】
このように、紙管製巻芯は、被巻回物の巻回作業毎に筒内部にシャフトを挿入する作業が必要となるものであり、紙管へシャフトを容易に挿入できることは極めて重要な事である。即ち、挿入の容易性を図ることは、作業効率の向上につながることは勿論、挿入作業に際して、シャフトを紙管の端面（特に、端面と内周面との境界部分）にぶつけたりすると、紙粉が発生してしまい、これが巻回作業中に被巻回物中に紙粉が挟まって製品品質の低下を招くといった弊害が生ずるおそれがある。またぶつかった結果、紙管の端面の真円が維持できず、シャフトの挿入をさらに困難にすると言った問題が生ずる。
【０００４】
ところが、この紙管製巻芯へのシャフトの挿入を容易に行うための改良は、シャフト側を中心になされてきた反面、紙管製巻芯側にあっては、全く改良がなされていないのが現実である。紙管製巻芯では、紙を巻回して筒状に製造するのが基本構成であるため、機械的な改良を加えることが実質的に不可能であるため、紙管の端面と内周面との間の角にローラを押し当てて、角を取るといった程度の仕上げ加工がなされているに止まる。ところが、ローラで押圧して紙管を変形させる場合にあっては、僅かに角が取られるだけであり、シャフトの挿入を容易に行うという効果は実質的にはなく、単に、手触りがよくなると言った程度の感触的な仕上げに過ぎない。しかも、ローラで紙管の内周面側の角を押圧する結果、当該部分における紙管の強度低下が発生し、押圧された紙管の端面から、紙管を構成する紙シートが捲れたり剥がれたりするという問題が発生し、その部分がシャフトに引っ掛かり、シャフトの挿入がさらに困難になったり、紙粉が発生し易くなるといった問題につながっている。
【０００５】
【特許文献１】特開平８−１２１９７号公報
【特許文献２】特開平２００４−１９６５１０号公報
【考案の開示】
【考案が解決しようとする課題】
【０００６】
本願考案は、筒内部にシャフトを挿入し、外周面に長尺の被巻回物を巻回するようにした紙管製巻芯において、紙管の筒内部へのシャフトの挿入を円滑に行うことができるようにし、紙粉の発生を減少させることができる紙管製巻芯の提供を目的とする。
【課題を解決するための手段】
【０００７】
そこで本願の第１の考案は、筒内部にシャフトを挿入し、外周面に長尺の被巻回物を巻回するようにした紙管製巻芯において、紙管の端面と紙管の内周面との境界部分を刃物によって切削することにより、この境界部分を傾斜面にしたことを特徴とする紙管製巻芯を提供することにより、上記の課題を解決する。
本願の請求項２の考案は、請求項１記載の紙管製巻芯において、上記の傾斜面は、半径方向の長さが０．５〜２．０mmであり、傾斜角度が３０〜６０度であることを特徴とするものを提供する。
本願の請求項３に係る考案は、請求項２記載の紙管製巻芯において、上記の傾斜面の半径方向の長さが０．８〜２．０mmであり、上記の紙管を構成する紙製シート状体のうち、最内層とその外側の層との接着面が上記の傾斜面内に位置するものであることを特徴とするものを提供する。
【考案の効果】
【０００８】
本願考案は、紙管の端面と紙管の内周面との境界部分を刃物によって切削することにより、この境界部分を傾斜面にしたものであるため、シャフトの挿入を円滑に行うことができ、紙粉の発生を減少させることができる。従来の紙管製巻芯に対するローラによる仕上げ加工と異なり、紙管を変形させないため、紙管を劣化させることがないため、紙粉の発生が少なく、接着部分の剥がれなどが生ずることがない。
特に、上記の傾斜面について、従来のローラによる仕上げ加工ではなし得ない大きなものとすることができ、半径方向の長さを０．５〜２．０mmとし、傾斜角度を３０〜６０度とすることによって、シャフトの引っ掛かりを防止することができ、より確実に円滑な挿入を実現することができる。
さらに、半径方向の長さを０．８〜２．０mmとし、上記の紙管を構成する紙製シート状体のうち、最内層とその外側の層との接着面を、傾斜面内に位置させることによって、紙管の取り扱いに際して、当該接着面が他の物に接触することが少なく、最内層の剥がれが生じにくい。これにより、従来のような接着部分の剥がれに起因するシャフトを引っ掛かりを防止できるものである。
【考案を実施するための最良の形態】
【０００９】
以下、図面に基づき本願考案の実施の形態を説明する。
図１は、本願考案の実施の形態に係る紙管製巻芯の端部の断面図であり、図２は図１のII部分の拡大図である。
【００１０】
この紙管製巻芯１は、スパイラル紙管若しくは平巻紙管で代表されるように紙製シート１１、１２、１３を巻回接着して、中空の筒状に形成したものであり、筒状の中空部２内にシャフト（図示せず）を挿入して、フィルムやシートなどの種々の長尺状の被巻回物（図示せず）を巻き取るようにしたものである。紙管製巻芯１の大きさは、被巻回物の種類によって外径数cm〜数十cm、長さ数十cm〜数百cmなど様々に変更して実施できるが、例えば、外径約１００mm、内径約８６mm（肉厚１２mm）のものとして実施し得る。
【００１１】
ここで、紙管とは、紙製シートを主材料として構成された筒状体の意味であり、紙管を構成するシートの一部に合成樹脂製や金属製のシートやフィルムが用いられたものをも含むものである。また、紙管の表面に合成樹脂層を塗布により形成したり、合成樹脂製や金属製のシートやフィルムを配位したものなど、紙を種材料とすることを条件に複合材料製のものや後加工したものをも含むものである。
【００１２】
この紙管製巻芯１にあっては、紙管の軸方向の端面３と紙管の内周面４との境界部分を刃物（図示せず）によって切削することにより、この境界部分を傾斜面５にしたものである。この刃物にはナイフ状のものが適しており、ヤスリなどによる研削とことなり、切り取ることによって、紙粉の発生を少ない状態で傾斜面５を形成することができる。
【００１３】
この傾斜面５は、半径方向の長さａを、０．５〜２．０mmとする。シャフトの円滑な導入のためには、従来のローラ加工よりも大きな０．５mmの傾斜面５であることが望ましい。言い換えれば、紙管製巻芯１の内径が、中心部分よりも、端部において１．０〜４．０mm大きくなるものであり、シャフトが円滑に中空部２内に導入できる。
【００１４】
傾斜面５の傾斜角度、即ち、紙管製巻芯１の中心軸を含む断面において、中心軸と傾斜面５とのなす角度ｘ）を３０〜６０度とすることによって、シャフトの導入が容易に且つ円滑になる。
【００１５】
さらに、傾斜面５の半径方向の長さを０．８〜２．０mmとし、上記の紙管を構成する紙製シート状体のうち、最内層の紙製シート１１とその外側（半径方向の外側）の層のシート状体１２との接着面６を、傾斜面５内に位置させることが望ましい。これによって、紙管の取り扱いに際して、当該接着面が他の物に接触することが少なく、最内層の剥がれが生じにくく、これに起因するシャフトを引っ掛かりを防止できるものである。なお、ここで最内層の紙製シート１１とは、合成樹脂フィルムや内周面に加工された樹脂層などを含まないもので、紙として、最も内面側に位置するシート層を意味する。
【図面の簡単な説明】
【００１６】
【図１】本願考案の実施の形態に係る紙管製巻芯の端部の断面図である。
【図２】図１のII部分の拡大図である。
【符号の説明】
【００１７】
１    紙管製巻芯
３    紙管の軸方向の端面
４    紙管の内周面
５    傾斜面
６    接着面
１１  紙製シート
１２  紙製シート
１３  紙製シート
【図１】
0003109473.tif 000003
【図２】
0003109473.tif 000004